(57)【要約】      （修正有）【課題】線香・ローソクの火を風雨からしのぎ、一体的な印象を損なうことなく、線香に火を付ける作業が容易な墓前供養ユニットを提供する。【解決手段】墓前供養ユニット１０は、墓ユニットに配置され、線香が供えられる香立２０と、ローソクが立てられるローソク立３０とが、一体的に設けられている。ローソク立３０は、前面部３１と壁部３２とが接続するコーナー近傍において、基台部１１の上面及び笠部１３の下面に軸支されており、回転軸Ｃを中心に回動する。これにより、ローソク立３０は、前面以外の側面が側壁により囲まれている防風状態、又は、この防風状態より広い範囲の側面が開放されている開放状態に変位可能である。【選択図】図３
0003208023.tif 000002
【実用新案登録請求の範囲】
【請求項１】
香立、ローソク立及び花立が、一体的に設けられている墓前供養ユニットであって、
花が生けられる花立と、
線香が供えられる香立と、
ローソクが立てられるローソク立と、が一体的に設けられており、
前記ローソク立は、
開口部以外の側面が側壁により囲まれている防風状態、又は、
前記防風状態より広い範囲の側面が開放されている開放状態、に変位可能である墓前供養ユニット。
【考案の詳細な説明】
【技術分野】
【０００１】
本考案は、墓前供養ユニットに関し、特に、墓に配置される一体型の墓前供養ユニットに関する。
【背景技術】
【０００２】
従来、墓には、線香を供える香立、ローソクを立てるローソク立等が設けられている。参拝者は、ローソク立にローソクを立て火を付け、このローソクの火で、線香に火を付ける。
【０００３】
このような香立やローソク立等として、例えば、特許文献１には、香炉本体に被嵌される束線香立て孔及び二本線香立て孔を設けた蓋体とでなる香炉と、この香炉の後部に位置し、しかも前記香炉より上方に設けられたお供え物、位牌、写真等を載置できるお供え台と、このお供え台の両脇に設けられた風防筒を設け得るとともに、前記通気構造に連通する通気細孔を開設した蝋燭立て台とを一体構造とした墓置きを兼ねた多用途の仏用葬儀セットが提案されている。
【先行技術文献】
【特許文献】
【０００４】
【特許文献１】実公平６−２５５６５号公報
【考案の概要】
【考案が解決しようとする課題】
【０００５】
しかしながら、特許文献１の仏用葬儀セットのように、蝋燭立て台に被せる風防筒を設けることで、風が強い日でも、ローソクの炎が安定し、線香に火を付ける作業が容易になるが、風防筒が別体であるため、仏用葬儀セットとしての一体的な印象を損なっている。
【０００６】
本考案は、一体的な印象を損なうことなく、線香に火を付ける作業が容易であり、かつ線香・ローソクの火を風雨から防ぐ墓前供養ユニットを提供することを目的とする。
【課題を解決するための手段】
【０００７】
（１）  香立、ローソク立及び花立が、一体的に設けられている墓前供養ユニットであって、
花が生けられる花立と、
線香が供えられる香立と、
ローソクが立てられるローソク立と、が一体的に設けられており、
前記ローソク立は、
開口部以外の側面が側壁により囲まれている防風状態、又は、
前記防風状態より広い範囲の側面が開放されている開放状態、に変位可能である墓前供養ユニットを提供する。
【０００８】
（１）の構成によれば、墓に配置される一体型の墓前供養ユニットは、香立と、ローソク立と、が一体的に設けられている。
これにより、香立と、ローソク立と、花立とが一体的に設けられているので、墓石の棹石周辺が、煩雑にならずに、より一体的なスッキリした印象を与えることができる。
そして、ローソク立は、開口部以外の側面が側壁により囲まれている防風状態、又は、この防風状態より広い範囲の側面が開放されている開放状態、に変位可能である。
【０００９】
これにより、香立と、ローソク立と、が一体的に設けられているので、墓石の棹石周辺が、煩雑にならずに、一体的なスッキリした印象を与えることができ、メンテナンス性や安定性が向上し、一部の部品が落下し破損するようなことを防止できる。
【００１０】
また、参拝者は、線香に火を付ける場合、まず、香立と一体的に設けられたローソク立を開放状態にして、ローソクを立て火を付けてから、開口部から、線香の先端部分をローソク立の内部に挿入し、火を付ける。そして、防風状態に変位させる。このため、風が強い火でも、ローソクの火が安定する。
【考案の効果】
【００１１】
本考案によれば、一体的な印象を損なうことなく、線香及びローソクに火を付ける作業が容易な墓前供養ユニットを提供できる。
【図面の簡単な説明】
【００１２】
【図１】本考案の一実施形態に係る墓ユニット１の外観を示す斜視図である。
【図２】前記実施形態に係る墓前供養ユニット１０の斜視図である。
【図３】前記実施形態に係る墓前供養ユニット１０の分解斜視図である。
【図４】前記実施形態の変形例に係る墓前供養ユニット１０Ａの斜視図である。
【考案を実施するための形態】
【００１３】
本考案の実施形態に係る墓ユニット１の構成を図面に基づいて説明する。
図１は、本考案の一実施形態に係る墓ユニット１の外観を示す斜視図である。
墓ユニット１は、遺骨が納められる納骨室２と、納骨室２の上に配置された棹石３、納骨室２の上において棹石３の前面側に配置された一体型の墓前供養ユニット１０と、を備える。
墓ユニット１は、更に、納骨室２の上に下台６を配置し、この下台６の上に上台７を配置し、上台７の上に棹石３を配置してもよい。
【００１４】
図２は、前記実施形態に係る墓前供養ユニット１０の斜視図である。
墓前供養ユニット１０は、基台部１１と、立設部１２と、笠部１３と、扉部１４と、ローソク立３０と、を備える。
基台部１１は、板形状に形成され、納骨室２（図１参照）の上に設置される。
【００１５】
図３は、前記実施形態に係る墓前供養ユニット１０の分解斜視図である。
立設部１２は、背面側において基台部１１から立設して背面側に壁を形成する背板部１２１と、背板部１２１の前面側に配置されており、基台部１１から立設し、所定間隔を空けて左右一対で設けられており、四角柱形状の略中心に、円柱形状の縦穴４１が形成されている花立４０と、を備える。
笠部１３は、立設部１２の上に配置され、左右一対で設けられている花立４０の縦穴４１に対応する位置に、貫通孔１３１が夫々形成されている。
【００１６】
墓前供養ユニット１０は、左右一対で設けられている花立４０の間において、基台部１１及び笠部１３により囲まれた空間において、香立２０を形成する。香立２０の内部には、香炉２１が配置される。
扉部１４は、所定のモチーフが透かし彫りされており、この香立２０の前面側に配置され、基台部１１及び笠部１３に対して着脱自在に取り付けられている。扉部１４を着脱自在とすることで、香立２０内の清掃が容易になる。詳細には、扉部１４は、下端側が基台部１１の上面に形成された切欠き１１１に差し込まれ、上端側が笠部１３の下面に形成された切欠き１３２に差し込まれることで、基台部１１及び笠部１３に着脱自在に取り付けられる。
【００１７】
また、墓前供養ユニット１０は、左右端において、花立４０、基台部１１及び笠部１３により囲まれた空間において、夫々ローソク立設置部１５を形成する。
ローソク立３０は、これら左右端部側に夫々形成されたローソク立設置部１５に設置される。
【００１８】
左端部に配置されるローソク立３０は、内部にローソク立３１０が設置され、このローソク立３１０にローソクを立てることが可能であり、前面側に矩形状の開口部３１１が形成された前面部３１と、左側側面に形成された壁部３２と、上面視で前面部３１の右端と壁部３２の後端とに連なる扇型形状に形成され、壁が設けられていない開放部３３と、を備える。
右端部に配置されるローソク立３０は、内部にローソクを設置可能であり、左端部に配置されるローソク立３０と左右対称の形状であり、前面側に開口部３１１が形成された前面部３１と、右側側面に形成された壁部３２と、上面視で前面部３１の左端と壁部３２の後端とに連なる扇型形状に形成され、壁が設けられていない開放部３３と、を備える。
【００１９】
また、ローソク立３０は、前面部３１と壁部３２とが接続するコーナー近傍（図３中一点鎖線で示す回転軸Ｃが延びる位置）において、基台部１１の上面及び笠部１３の下面に軸支されており、回転軸Ｃを中心に回動する。
これにより、ローソク立３０は、前面以外の側面が側壁により囲まれている防風状態（図３中実線で示す状態）、又は、この防風状態より広い範囲の側面が開放されている開放状態（図３中点線で示す状態）、に変位可能である。
【００２０】
即ち、ローソク立３０は、防風状態では、ローソク立設置部１５に収容された状態であり、開放部３３が背板部１２１及び花立４０により囲まれており、ローソクが設置された内部が、前面部３１の開口部３１１を除いて、壁部３２、背板部１２１及び花立４０により囲まれた状態である。
また、ローソク立３０は、開放状態では、ローソク立設置部１５から前側に突出した状態であり、開放部３３が前面側に開放されており、ローソクが設置された内部も、前面側に開放された状態である。
【００２１】
また、ローソク立３０は、四角形状に形成された開口部３１１に、開口部３１１を塞ぐように光透過部３１２（図３中のハッチング部分）を取り付けることで、より防風性能が向上する。
光透過部３１２は、ステンドグラスで形成されている。これにより、ローソク立３０Ａの内部に設置されたローソクの炎が揺らめいて見え、従来にない趣を醸し出すことができる。
【００２２】
次に、本実施形態の変形例について説明する。なお、以下の説明において、本実施形態と同一の構成は説明を省略する。
図４は、前記実施形態の変形例に係る墓前供養ユニット１０Ａの斜視図である。
変形例に係る墓前供養ユニット１０Ａは、本実施形態の花立４０（図３参照）が省略され、花立４０の代わりに仕切壁１６が設けられている。
また、変形例に係る墓前供養ユニット１０Ａのローソク立３０Ａは、前面部３１において、開口部３１１が、例えば、楕円形状に形成され、この楕円形状に形成された開口部３１１を塞ぐように光透過部３１２（図４中のハッチング部分）が設けられている。この楕円形状は一例であって、四角形等の任意の形であってよい。
【００２３】
このように、変形例に係る墓前供養ユニット１０Ａによれば、デザイン上、花立を独立させて設けることが可能となる。
【００２４】
なお、本実施形態と変形例で説明した各構成は、矛盾が生じない限り、任意の態様で組み合わせることができる。
【００２５】
以上、本実施形態及び変形例によれば、墓ユニット１に配置される一体型の墓前供養ユニット１０は、香立２０と、ローソク立３０と、が一体的に設けられている。
そして、ローソク立３０は、前面以外の側面が側壁により囲まれている防風状態、又は、この防風状態より広い範囲の側面が開放されている開放状態、に変位可能である。
【００２６】
これにより、香立２０と、ローソク立３０と、が一体的に設けられているので、墓石の棹石周辺が、煩雑にならずに、一体的なスッキリした印象を与えることができ、メンテナンス性や安定性が向上し、一部の部品が落下し破損するようなことを防止できる。
【００２７】
また、参拝者は、線香に火を付ける場合、まず、香立２０と一体的に設けられたローソク立３０を開放状態にして、ローソクを立て火を付けてから、開口部から、線香の先端部分をローソク立の内部に挿入し、火を付ける。そして、防風状態に変位させる。このため、風が強い火でも、ローソクの火が安定する。したがって、一体的な印象を損なうことなく、線香に火を付ける作業が容易な、かつ、線香及びローソクの火を風雨から防ぐことができる墓前供養ユニットを提供できる。
【００２８】
また、本実施形態によれば、香立２０と、ローソク立３０と、花立４０とが一体的に設けられているので、墓石の棹石周辺が、煩雑にならずに、より一体的なスッキリした印象を与えることができる。
【００２９】
なお、本考案は前記実施形態に限定されるものではなく、本考案の目的を達成できる範囲での変形、改良等は本考案に含まれるものである。
【符号の説明】
【００３０】
１  墓ユニット
２  納骨室
３  棹石
６  下台
７  上台
１０，１０Ａ  墓前供養ユニット
１１  基台部
１２  立設部
１３  笠部
１４  扉部
１５  ローソク立設置部
１６  仕切壁
２０  香立
２１  香炉
３０，３０Ａ  ローソク立
３１  前面部
３２  壁部
３３  開放部
４０  花立
４１  縦穴
１１１，１３２  切欠き
１２１  背板部
１３１  貫通孔
３１０  ローソク立
３１１  開口部
３１２  光透過部
【図１】
0003208023.tif 000003
【図２】
0003208023.tif 000004
【図３】
0003208023.tif 000005
【図４】
0003208023.tif 000006